(57)【特許請求の範囲】
【請求項１】
空調調和機が設置された場所に存する少なくとも１つの第１情報端末と、前記第１情報端末及び前記空調調和機と接続される第２情報端末とを含む注文受付装置であって、
前記第１情報端末は、
表示部において表示した注文受付用の処理画面に対する操作に応じて注文を受付ける第１制御手段と、
温度を検知する検知手段と、
前記第１制御手段により受け付けた注文内容と前記検知手段により検知された温度を前記第２情報端末に通知する通知手段とを有し、
前記第２情報端末は、
前記通知手段により通知された前記注文内容と前記温度とに応じて、前記第１情報端末が存する場所の前記空調調和機を制御する第２制御手段と、
前記第２制御手段の制御内容を表示させる表示手段とを有する注文受付装置。
【請求項２】
前記第２制御手段は、前記第１情報端末が存する場所に対する温度設定値を、前記第１情報端末からの注文内容に応じて定め、前記検知手段により検知される温度が前記温度設定値となるように前記空調調和機を制御する、
ことを特徴とする請求項１記載の注文受付装置。
【請求項３】
前記第１情報端末は、
さらに、照度を検知する照度検知手段を有し、
前記通知手段は、前記照度を前記第２情報端末に通知し、
前記第２制御手段は、
前記通知手段により通知された前記注文内容と前記照度とに応じて、前記第１情報端末が存する場所の照明を制御する
ことを特徴とする請求項１記載の注文受付装置。
【請求項４】
前記第２制御手段は、前記第２情報端末がドッキングステーションに装着された場合に機能する、
ことを特徴とする請求項１記載の注文受付装置。
【請求項５】
前記第１情報端末は、さらに
前記第２制御手段より優先して前記空調調和機を制御するための設定値を調節する調節手段を有し、
前記通知手段は、前記設定値を前記第２情報端末に通知し、
前記第２情報端末は、さらに、
前記通知手段により通知された前記設定値に応じて、前記第２制御手段より優先して前記空調調和機を制御する第３制御手段を
を備えることを特徴とする請求項１記載の注文受付装置。
【請求項６】
ドッキングステーションへの離脱と装着が可能な情報端末を、
前記ドッキングステーションとの離脱している場合に、
表示部において表示させた注文受付用の処理画面に対する操作に応じて注文を受付ける第１制御手段と、
前記第１制御手段により受け付けた注文内容と、温度を検知する検知手段により検知された温度を他の情報端末に通知する通知手段として機能させ、
前記ドッキングステーションへ装着されている場合に、
他の情報端末より通知された注文内容と温度とに応じて、前記他の情報端末が存する場所の空調を制御する第２制御手段と、
前記第２制御手段の制御内容を表示させる表示手段
として機能させるための制御プログラム。
【発明の詳細な説明】
【技術分野】
【０００１】
本発明の実施形態は、商品の注文を受付ける注文受付装置および制御プログラムに関する。
【背景技術】
【０００２】
商品を販売する商店たとえば食堂やレストラン等の飲食店では、タッチパネル式の情報端末いわゆるオーダ端末を客席テーブルに設置し、そのオーダ端末へのタッチ操作に応じて商品の注文を受付けるいわゆるセルフオーダ方式の注文受付システムが普及している。
【０００３】
オーダ端末で注文される商品の例として、“ラーメン”“鍋料理”“焼肉料理”“お好み焼き”等の熱いもの、“てんぷら”“焼き魚”“米飯”“寿司類”“刺身”等の熱くないもの、“かき氷”“アイスクリーム”“アイス飲料”等の冷たいものがある。
【０００４】
一方、店舗の空調は、一律の設定温度であることが多い。複数の室内ユニットを設置した店舗の場合、室内ユニットごとに設定温度を変えることもできるが、設定は店側の係員に委ねられている。
【０００５】
このため、熱い“ラーメン”の注文者がいるところでは暑さを感じ、冷たい“かき氷”の注文者がいるところでは寒さを感じることがある。
【先行技術文献】
【特許文献】
【０００６】
【特許文献１】特開２００９−１６３５４５号公報
【発明の概要】
【発明が解決しようとする課題】
【０００７】
注文受付用の情報端末を店舗の空調制御に活用する。
【課題を解決するための手段】
【０００８】
一実施形態の注文受付装置は、空調調和機が設置された場所に存する少なくとも１つの第１情報端末と、前記第１情報端末及び前記空調調和機と接続される第２情報端末とを含む。前記第１情報端末は、表示部において表示した注文受付用の処理画面に対する操作に応じて注文を受付ける第１制御手段と、温度を検知する検知手段と、前記第１制御手段により受け付けた注文内容と前記検知手段により検知された温度を前記第２情報端末に通知する通知手段とを有する。前記第２情報端末は、前記通知手段により通知された前記注文内容と前記温度とに応じて、前記第１情報端末が存する場所の前記空調調和機を制御する第２制御手段と、前記第２制御手段の制御内容を表示させる表示手段とを有する。
【図面の簡単な説明】
【０００９】
【図１】一実施形態を含む店舗の構成を概略的に示す図。
【図２】一実施形態のドッキングステーションおよびタブレット端末の外観を示す図。
【図３】一実施形態のタブレット端末をドッキングステーションから離脱した状態を示す図。
【図４】一実施形態を含む店舗内制御システムを示すブロック図。
【図５】一実施形態のドッキングステーションおよびタブレット端末の要部のブロック図。
【図６】一実施形態のタブレット端末の制御を示すフローチャート。
【図７】一実施形態の子機が表示するメニュー画面を示す図。
【図８】一実施形態の子機が表示する温度／照明調節画面を示す図。
【図９】一実施形態の親機が表示する管理画面を示す図。
【図１０】一実施形態の親機が表示する管理画面の別の例を示す図。
【発明を実施するための形態】
【００１０】
以下、注文受付装置の一実施形態について、図面を用いて説明する。  
図１において、１は商店たとえば食堂やレストラン等の飲食店の店舗で、床面２および天井面３を備える。床面２には、客席テーブル４，５，６が配置されるとともに、会計用のレジカウンタ７が配置される。天井面３には、照明器具８，９，１０が吊下げ装着されるとともに、後述する空気調和機１１，１２，１３の室内ユニット１１ａ，１２ａ，１３ａが埋設される。
【００１１】
照明器具８は、客席テーブル４の上方にあって、客席テーブル４およびその近傍を照明する。照明器具９は、客席テーブル５の上方にあって、客席テーブル５およびその近傍を照明する。照明器具１０は、客席テーブル６の上方にあって、客席テーブル６およびその近傍を照明する。
【００１２】
室内ユニット１１ａは、店舗１内の空気を吸込み、その吸込み空気を冷房用・除湿用・暖房用の空調用空気として客席テーブル４に向け吹き出す。室内ユニット１２ａは、店舗１内の空気を吸込み、その吸込み空気を冷房用・除湿用・暖房用の空調用空気として客席テーブル５に向け吹き出す。室内ユニット１３ａは、店舗１内の空気を吸込み、その吸込み空気を冷房用・除湿用・暖房用の空調用空気として客席テーブル６に向け吹き出す。
【００１３】
客席テーブル４，５，６の上面に、携帯型の情報端末たとえばタブレット型情報端末（以下、タブレット端末という）２０が配置される。レジカウンタ７に据置型のドッキングステーション３０が設置され、そのドッキングステーション３０にタブレット端末２０が着脱自在に装着される。
【００１４】
客席テーブル４，５，６に配置されるタブレット端末（第１情報端末）２０、およびドッキングステーション３０に装着されるタブレット端末（第２情報端末）２０は、互いに同じ構成および互いに同じ機能を有する。
【００１５】
タブレット端末２０をドッキングステーション３０に装着した状態を図２に示し、タブレット端末２０をドッキングステーション３０から離脱した状態を図３に示す。
【００１６】
ドッキングステーション３０は、箱形の筐体の正面にスキャナ用の読取窓３１を備え、同筐体の左側面に用紙発行口３２を備える。ドッキングステーション３０上のタブレット端末２０は、持ち上げによってドッキングステーション３０から離脱させることができる。この離脱により、図３のように、ドッキングステーション３０の筐体の上部に傾斜状の端末装着部３３が露出する。端末装着部３３は、タブレット端末２０を接続するための拡張用コネクタ３４を備える。
【００１７】
タブレット端末２０は、片手で持つことが可能な矩形状の筐体で覆われ、その筐体の上面にタッチパネル式表示部（表示手段）２１を備える。タッチパネル式表示部２１は、手指によるタッチ操作が可能で、そのタッチ操作をデータの入力として受付ける。
【００１８】
また、タブレット端末２０は、筐体上面の上部に、雰囲気検知手段である室内温度センサ２２、および明るさ検知手段である照度センサ２３を備える。室内温度センサ２２は、当該タブレット端末２０が存する場所の雰囲気温度である室内温度を検知する。照度センサ２３は、当該タブレット端末２０が存する場所の明るさを照度として検知する。
【００１９】
さらに、タブレット端末２０は、後述のドッキング用コネクタ６８を拡張用コネクタ３４への接続用として筐体の背面に備える。タブレット端末２０の背面側をドッキングステーション３０の端末装着部３３に載置し、かつタブレット端末２０のドッキング用コネクタ６８を拡張用コネクタ３４に嵌め込むことにより、タブレット端末２０とドッキングステーション３０との電気的な接続が完了する。この電気的な接続の完了をもって、ドッキングステーション３０に対するタブレット端末２０の装着が完了する。
【００２０】
装着後のタブレット端末２０を持ち上げてドッキング用コネクタ６８を拡張用コネクタ１４から抜き離すことで、タブレット端末２０とドッキングステーション３０との電気的な接続が解除される。この解除をもって、タブレット端末２０のドッキングステーション３０からの離脱が完了する。
【００２１】
客席テーブル４，５，６のタブレット端末２０は、子機として機能する。子機は、タッチパネル式表示部２１へのタッチ操作に応じて商品の注文を受付けるいわゆるセルフオーダ方式のオーダ端末として機能する。
【００２２】
ドッキングステーション３０上のタブレット端末２０は、親機として機能する。親機は、子機のタブレット端末２０が受付けた注文内容に応じて照明器具８，９，１０および空気調和機１１，１２，１３を制御する。また、親機は、子機のタブレット端末２０が受付けた注文内容に応じて会計処理を実行する。
【００２３】
客席テーブル４，５，６のタブレット端末２０、ドッキングステーション３０、およびそのドッキングステーション３０上のタブレット端末２０により、注文受付装置を構成している。この注文受付装置を構成要素として含む店舗内制御システムを図４に示す。
【００２４】
通信ネットワークたとえばＬＡＮ（Local Area Network）４０に、照明器具８，９，１０、空気調和機１１，１２，１３、ドッキングステーション３０、無線中継機４１，４１、スタッフ端末４２、キッチンプリンタ４３が接続される。無線中継機４１，４１は、各タブレット端末２０とＬＡＮ４０との無線通信を中継する。スタッフ端末４２は、カラー液晶表示部を有し、注文受付内容を係員に知らせるための注文受付画面などを表示する。キッチンプリンタ４３は、注文受付内容を厨房の調理スタッフに知らせるための注文書をプリントする。
【００２５】
タブレット端末２０およびドッキングステーション３０の要部を図５に示す。  
まず、ドッキングステーション３０は、拡張用コネクタ３４のほかに、バスライン５０、通信インターフェース５１、補助記憶デバイス（記憶手段）５２、電源ユニット５３、スキャナ５４、プリンタ５５、Ｉ／Ｏコントローラ５６，５７を備える。バスライン５０は、アドレスバスおよびデータバスを含む。このバスライン５０に、拡張用コネクタ３４、通信インターフェース５１、補助記憶デバイス５２、電源ユニット５３、スキャナ５４、プリンタ５５、Ｉ／Ｏコントローラ５６，５７が接続される。
【００２６】
通信インターフェース５１は、ＬＡＮ４０を介して照明器具８，９，１０、空気調和機１１，１２，１３、無線中継機４１，４１、スタッフ端末４２、キッチンプリンタ４３とのデータ送受信を行う。補助記憶デバイス５２は、コンピュータの補助記憶部分に相当するもので、例えばＥＥＰＲＯＭ、ＨＤＤ、ＳＳＤ等である。この補助記憶デバイス５２は、当該ドッキングステーション３０上のタブレット端末２０のＣＰＵ６０が各種の処理を行う上で使用するデータや、そのＣＰＵ６０の処理により生成されたデータを保存する。補助記憶デバイス５２は、アプリケーションプログラムを記憶する場合もある。
【００２７】
電源ユニット５３は、商用交流電源１００の電圧を当該ドッキングステーション３０の動作用電圧に変換し出力する。また、電源ユニット５３は、当該ドッキングステーション３０上のタブレット端末２０に対する充電用電圧を出力する。この充電用電圧は、拡張用コネクタ３４を介してタブレット端末２０に伝わる。スキャナ５４は、読取窓３１に翳されるバーコード等を光学的に読み取る。スキャナ５４は、カメラによって撮像した商品画像からその商品に付されるバーコード等を読み取るタイプであってもよい。
【００２８】
プリンタ５５は、レシートやジャーナル用のロール紙を搭載し、そのロール紙に対しデータをプリントする。プリントされた用紙は、用紙発行口３２から排出される。Ｉ／Ｏコントローラ５６は、当該ドッキングステーション３０の筐体の背面または側面に接続される機器例えばドロワ５８に対するデータ入出力を制御する。Ｉ／Ｏコントローラ５７は、当該ドッキングステーション３０の筐体の背面または側面に接続される機器例えばカードリーダライタ５９に対するデータ入出力を制御する。カードリーダライタ５９は、磁気カードやＩＣカードからのデータの読取り、および磁気カードやＩＣカードに対するデータの書込みを行う。
【００２９】
一方、タブレット端末２０は、上記タッチパネル式表示部２１、上記室内温度センサ２２、上記照度センサ２３のほかに、ＣＰＵ（Central Processing Unit）６０およびこのＣＰＵ６０に接続されたバスライン６１を備える。さらに、タブレット端末２０は、ＲＯＭ（Read Only Memory）６２、ＲＡＭ（Random Access Memory）６３、タッチパネルコントローラ６４、無線通信ユニット６５、時計部６６、ＵＳＢ（Universal Serial Bus）コネクタ６７、ドッキング用コネクタ６８、バッテリ６９を備える。
【００３０】
バスライン６１は、アドレスバスおよびデータバスを含む。このバスライン６１に、ＲＯＭ６２、ＲＡＭ６３、タッチパネルコントローラ６４、無線通信ユニット６５、時計部６６、ＵＳＢコネクタ６７、ドッキング用コネクタ６８、室内温度センサ２２、照度センサ２３が接続される。
【００３１】
ＣＰＵ６０は、コンピュータの中枢部分に相当する。ＣＰＵ６０は、オペレーティングシステム、およびアプリケーションプログラムなどの制御プログラムに従って、当該タブレット端末２０を制御する。ＲＯＭ６２は、上記コンピュータの主記憶部分に相当する。ＲＯＭ６２は、上記オペレーティングシステムおよびアプリケーションプログラムなどの制御プログラムを記憶する。ＲＯＭ６２は、ＣＰＵ６０が各種の処理を実行する上で必要なデータを記憶する場合もある。
【００３２】
ＲＡＭ６３は、上記コンピュータの主記憶部分に相当する。ＲＡＭ６３は、ＣＰＵ６０が各種の処理を実行する上で必要なデータを必要に応じて記憶する。またＲＡＭ６３は、ＣＰＵ６０が各種の処理を行う際のワークエリアとしても利用される。
【００３３】
タッチパネル式表示部２１は、文字や画像を表示するディスプレイ２１ｄ、およびこのディスプレイ２１ｄに対するタッチ操作を検知するタッチセンサ２１ｔを備える。タッチパネルコントローラ６４は、ディスプレイ２１ｄの表示を制御するとともに、タッチセンサ２１ｔの出力信号からタッチ操作の位置座標を検知する。さらに、タッチパネルコントローラ６４は、検知した位置座標とディスプレイ２１ｄの表示内容とに基づき、タッチパネル式表示部２１に対するタッチ操作をデータの入力として検出する。
【００３４】
無線通信ユニット６５は、無線中継機４１，４１とのデータ送受信を無線により行う。時計部６６は、現在の日付および時刻を計時する。ＵＳＢコネクタ６７は、ＵＳＢ規格に準拠した通信方式を有する種々のＵＳＢデバイスを着脱自在に接続するためのものである。このＵＳＢコネクタ６７には、上記ドロワ５８や上記カードリーダライタ５９を接続することが可能である。
【００３５】
ドッキング用コネクタ６８は、タブレット端末２０をドッキングステーション３０に接続するためのもので、タブレット端末２０の筐体の背面に配置される。バッテリ６９は、タブレット端末２０の動作用電圧を出力するもので、ドッキングステーション３０から拡張用コネクタ１４およびドッキング用コネクタ６８を介して供給される充電用電圧により充電される。
【００３６】
そして、タブレット端末２０のＣＰＵ６０は、ＲＯＭ６２内の制御プログラムに基づく主要な機能として、次の（１）〜（８）の手段を有する。  
（１）ドッキングステーション３０への当該タブレット端末２０の装着およびそのドッキングステーション３０からの当該タブレット端末２０の離脱を検出する検出手段。
【００３７】
（２）上記検出手段が離脱を検出しているとき（非装着時）、子機モードを設定し、上記検出手段が装着を検出しているとき（装着時）、親機モードを設定するモード設定手段。
【００３８】
（３）子機モードの設定時、注文受付用の処理画面をタッチパネル式表示部２１で表示し、その処理画面に対する操作に応じて注文を受付ける第１制御手段。
【００３９】
（４）子機モードの設定時、室内温度センサ２２の検知温度および照度センサ２３の検知照度をドッキングステーション３０上のタブレット端末２０に通知する通知手段。
【００４０】
（５）親機モードの設定時、タッチパネル式表示部２１に対するタッチ操作（タッチパネルコントローラ６４の検出結果）を会計処理用のデータ入力として受付ける受付手段。
【００４１】
（６）親機モードの設定時、ドッキングステーション３０のスキャナ５４が読取ったデータを商品登録データとして受付ける受付手段。
【００４２】
（７）親機モードの設定時に機能する第２制御手段。この第２制御手段は、子機モードのタブレット端末２０が存する場所の室内温度および照度に対する室内温度設定値（設定条件）および照度設定値（設定条件）を同子機モードのタブレット端末２０の注文受付内容に応じて定める。第２制御手段は、同子機モードのタブレット端末２０から通知される検知温度および検知照度が上記定めた設定室内温度および設定照度となるよう、同子機モードのタブレット端末２０が存する場所の空調（空気調和機１１，１２，１３のいずれかの運転）および照明（照明器具８，９，１０のいずれかの照明）を制御する。第２制御手段は、この制御内容を子機モードのタブレット端末２０のタッチパネル式表示部２１で表示する。
【００４３】
（８）親機モードの設定時、子機モードのタブレット端末２０が存する場所の空調を、同子機モードのタブレット端末２０の操作に応じて、かつ上記第２制御手段の制御に優先して、調節する調節手段。
【００４４】
なお、上記（１）の検出手段は、具体的には、ドッキング用コネクタ６８を介して確認信号を送出し、送出した確認信号がドッキング用コネクタ６８に戻ってくる場合は装着と判定し、送出した確認信号がドッキング用コネクタ６８に戻ってこない場合は離脱と判定する。
【００４５】
上記（７）の第２制御手段は、子機モードのタブレット端末２０が存する場所を同タブレット端末２０の識別コードに基づいて判定する。
【００４６】
つぎに、タブレット端末２０のＣＰＵ６０が実行する制御を図６のフローチャートを参照しながら説明する。  
［子機の制御］  
客席テーブル４，５，６に配置されたタブレット端末２０のＣＰＵ６０は、ドッキングステーション３０から離脱しているので、子機モードを設定する。
【００４７】
子機モードの設定時（Ａｃｔ１のＹＥＳ）、タブレット端末２０のＣＰＵ６０は、室内温度センサ２２の検知温度および照度センサ２３の検知照度をドッキングステーション３０上の親機のタブレット端末２０に通知する（Ａｃｔ２）。以下、子機モードを設定したタブレット端末２０のことを子機という。
【００４８】
子機のＣＰＵ６０は、注文受付用の処理画面として図７に示すメニュー画面をタッチパネル式表示部２１で表示する（Ａｃｔ３）。そして、子機のＣＰＵ６０は、メニュー画面に対するタッチ操作に応じた飲食品の注文を受付ける（Ａｃｔ４）。
【００４９】
メニュー画面は、子機が配置されている例えば客席テーブル４の識別番号“４”の表示、商品である飲食品の画像とその品名を含む多数の商品選択釦Ｑ１の表示、注文一覧釦Ｑ２の表示、他メニュー釦Ｑ３の表示、温度／照明調節釦Ｑ４の表示、取消釦Ｑ５の表示、確定釦Ｑ６の表示、会計釦Ｑ７の表示を含む。
【００５０】
注文受付用のメニュー画面としては、図７のメニュー画面のほかに、飲食品を詳細に指定したり、飲食品の個数を指定するための複数のメニュー画面がある。これらメニュー画面のいずれも、商品選択釦Ｑ１、注文一覧釦Ｑ２、他メニュー釦Ｑ３、温度／照明調節釦Ｑ４、取消釦Ｑ５、確定釦Ｑ６、会計釦Ｑ７の表示を含む。子機のＣＰＵ６０は、これらメニュー画面をタッチ操作に応じて適宜に切換えながら飲食品の注文を受付け、その注文受付内容を確定釦Ｑ６のタッチ操作に応じて確定する。
【００５１】
子機のＣＰＵ６０は、確定釦Ｑ６のタッチ操作による注文受付内容の確定時（Ａｃｔ５のＹＥＳ）、その注文受付内容をドッキングステーション３０上の親機のタブレット端末２０に通知する（Ａｃｔ６）。この通知後、子機のＣＰＵ６０は、Ａｃｔ１の判定に戻って同様の制御を実行する。
【００５２】
メニュー画面の温度／照明調節釦Ｑ４がタッチ操作された場合（Ａｃｔ５のＮＯ、Ａｃｔ７のＹＥＳ）、子機のＣＰＵ６０は、メニュー画面に代えて図８に示す温度／照明調節画面をタッチパネル式表示部２１で表示する（Ａｃｔ８）。そして、子機のＣＰＵ６０は、温度／照明調節画面に対するタッチ操作に応じた温度／照明の調節を受付ける（Ａｃｔ９）。
【００５３】
温度／照明調節画面は、室内温度調節用の目盛Ｒ１の表示、室内温度調節用のカーソルＲ２の表示、照明調節用の目盛Ｒ３の表示、照明調節用のカーソルＲ４の表示、確定釦Ｒ５の表示、戻る釦Ｒ６の表示を含む。
【００５４】
カーソルＲ２を目盛Ｒ１に沿ってタッチ＆スライド操作することにより、室内温度設定値（設定条件）を所望の値に調節することができる。カーソルＲ３を目盛Ｒ４に沿ってタッチ＆スライド操作することにより、照度設定値（設定条件）を所望の値に調節することができる。
【００５５】
子機のＣＰＵ６０は、確定釦Ｒ５のタッチ操作による調節内容の確定時（Ａｃｔ１０のＹＥＳ）、その調節内容をドッキングステーション３０上の親機であるタブレット端末２０に通知する（Ａｃｔ１２）。この通知後、子機のＣＰＵ６０は、Ａｃｔ１の判定に戻る。
【００５６】
子機のＣＰＵ６０は、確定釦Ｒ５がタッチ操作されないまま（Ａｃｔ１０のＮＯ）、戻る釦Ｒ６がタッチ操作された場合（Ａｃｔ１１のＹＥＳ）、調節内容を通知することなくＡｃｔ１の判定に戻る。
【００５７】
ここまで客席テーブル４の子機のＣＰＵ６０の制御について説明したが、客席テーブル５，６の子機のＣＰＵ６０も同じ制御を実行する。
【００５８】
［親機の制御］  
ドッキングステーション３０に装着されたタブレット端末２０のＣＰＵ６０は、親機モードを設定する。
【００５９】
親機モードの設定時（Ａｃｔ１のＮＯ）、タブレット端末２０のＣＰＵ６０は、客席テーブル４，５，６の子機がまだ注文を受付けていない未注文状況であるか否かを子機ごとに判定する（Ａｃｔ１３）。以下、親機モードを設定したタブレット端末２０のことを親機という。
【００６０】
この場合、親機のＣＰＵ６０は、子機のメニュー画面における会計釦Ｑ７がタッチ操作されて当該親機側で会計処理が済み、その後でまだ注文受付けがない場合に、子機が未注文状況であると判定する。会計釦Ｑ７のタッチ操作に応じた会計処理が親機で済んでいない場合、親機のＣＰＵ６０は、子機が未注文状況でないと判定する。
【００６１】
客席テーブル４の子機が未注文状況である場合（Ａｃｔ１３のＹＥＳ）、親機のＣＰＵ６０は、客席テーブル４の子機に対応する注文フラグｆを“０”とする（Ａｃｔ１４）。そして、親機のＣＰＵ６０は、客席テーブル４の子機における注文確定（確定釦Ｑ６のタッチ操作による注文受付けの確定）および温度／照明調節確定（調節釦Ｑ４のタッチ操作による温度／照明調節の確定）を監視する（Ａｃｔ１５、Ａｃｔ１６）。
【００６２】
客席テーブル４の子機で注文確定があった場合（Ａｃｔ１５のＹＥＳ）、親機のＣＰＵ６０は、客席テーブル４が存する場所の室内温度および照度に対する室内温度設定値および照度設定値（設定条件）を客席テーブル４の子機の注文受付内容に応じて定める（Ａｃｔ１７）。
【００６３】
そして、親機のＣＰＵ６０は、客席テーブル４の子機に対応する注文フラグｆが“０”であることを条件に（Ａｃｔ１８のＹＥＳ）、客席テーブル４が存する場所の空調および照明を制御し、かつその制御内容をタッチパネル式表示部２１で表示する（Ａｃｔ１９）。
【００６４】
すなわち、親機のＣＰＵ６０は、客席テーブル４の子機から通知される検知温度が上記定めた設定室内温度となるよう、空気調和機１１の吹出し空気温度を制御し、その制御内容を図９に示すような管理画面としてタッチパネル式表示部２１で表示する。親機のＣＰＵ６０は、客席テーブル４の子機から通知される検知照度が上記定めた設定照度となるよう、照明器具８の照度を制御し、その制御内容を図９に示すような管理画面としてタッチパネル式表示部２１で表示する。
【００６５】
管理画面は、客席テーブル４の場所が冷房“強”および照度“低”であること、客席テーブル５の場所が冷房“中”および照度“中”、客席テーブル６の場所が冷房“弱”および照度“高”であることを画像パターンと文字パターンとで示す。
【００６６】
客席テーブル４の子機による注文品が熱い料理の例えば“鍋料理”“焼肉料理”“お好み焼き”等で、しかも注文品に酒類が含まれる場合、親機のＣＰＵ６０は、空気調和機１１の設定室内温度を下げて客席テーブル４に対する冷房を“強”とし、照明器具８の設定照度を下げて客席テーブル４に対する照度を“低”とする。冷房“強”は、熱い料理による暑さおよび発汗を抑える。照度“低”は、飲酒に伴う宴会ムードを盛り上げる。
【００６７】
客席テーブル５の子機による注文品が例えば“てんぷら”“焼き魚”“米飯”“寿司類”“刺身”等のように熱くないもので、しかも注文品に酒類が含まれない場合、親機のＣＰＵ６０は、空気調和機１２の設定室内温度を標準レベルに定めて客席テーブル５に対する冷房を“中”とし、照明器具９の設定照度も標準レベルに定めて客席テーブル５に対する照度を“中”とする。つまり、熱くない料理の場合は暑さや発汗の心配がないので、冷房を標準の“中”とする。しかも、飲酒がないので、宴会ムードを盛り上げる必要はない。よって、照明も標準の“中”とする。
【００６８】
客席テーブル６の子機による注文品が例えば“かき氷”“アイスクリーム”“アイス飲料”等の冷たいものである場合、親機のＣＰＵ６０は、空気調和機１３の設定室内温度を標準レベルより高めに定めて客席テーブル６に対する冷房を“弱”とし、照明器具１０の設定照度も標準レベルより高めに定めて客席テーブル６に対する照度を“高”とする。冷房“弱”は、冷たい飲食物によるお客様の寒気を防ぐ。照度“高”は、女子のグループや家族連れによる明るい雰囲気を保つ。
【００６９】
客席テーブル５のお客様が会計していなくなった場合、親機のＣＰＵ６０は、空気調和機１３の運転を止めるとともに照明器具９を消灯する。この場合、親機のタッチパネル式表示部２１で表示する管理画面は、図１０のように、客席テーブル５に対する冷房が“止”、照明が“消灯”となる。冷房“止”および“消灯”により、電力の無駄な消費を防いで省エネルギー効果が得られる。
【００７０】
親機のＣＰＵ６０は、Ａｃｔ１９の処理に続き、Ａｃｔ１に戻って同様の制御を実行する。この場合、親機のＣＰＵ６０は、客席テーブル４の子機に対応する注文フラグｆが引き続き“０”であることにより（Ａｃｔ１８のＹＥＳ）、客席テーブル４に対する空調および照明を制御しつつその制御内容をタッチパネル式表示部２１で表示する（Ａｃｔ１９）。
【００７１】
このように、子機が存する場所の空調を子機の注文受付内容に応じて制御することにより、飲食による暑さや肌寒さ等を回避した快適空調を提供できる。子機が存する場所の照明を子機の注文受付内容に応じて制御することにより、客層や場面に合せた楽しい飲食空間を提供できる。
【００７２】
一方、客席テーブル４の子機において注文確定がないまま調節内容の確定があった場合（Ａｃｔ１５のＮＯ、Ａｃｔ１６のＹＥＳ）、親機のＣＰＵ６０は、客席テーブル４の子機に対応する注文フラグｆを“１”にセットする（Ａｃｔ２０）。そして、親機のＣＰＵ６０は、客席テーブル４用の空気調和機１１の設定室内温度および照明器具８の設定照度をお客様の調節に応じて調節する（Ａｃｔ２１）。
【００７３】
親機のＣＰＵ６０は、Ａｃｔ２１の処理に続き、Ａｃｔ１に戻って同様の制御を実行する。この場合、親機のＣＰＵ６０は、客席テーブル４の子機に対応する注文フラグｆが“１”にセットされていることにより（Ａｃｔ１８のＮＯ）、注文受付内容に応じた空調制御および照明制御を行わない。注文受付内容に応じた制御よりも、客席テーブル４のお客様の調節の方が優先される
なお、上記実施形態では、雰囲気として温度を検知したが、温度に代えて湿度を検知してもよい。空調として冷房のみ説明したが、除湿や暖房についても同様に実施できる。客席テーブル、空気調和機、照明器具がそれぞれ３つの場合を例に説明したが、その個数について限定はない。
【００７４】
注文受付装置の譲渡は一般に、制御プログラム等のプログラムがＲＯＭに記憶された状態にて行われる。しかしこれに限らず、コンピュータ装置が備える書き込み可能な記憶デバイスに、このコンピュータ装置とは個別に譲渡された制御プログラム等がユーザなどの操作に応じて書き込まれてもよい。制御プログラム等の譲渡は、リムーバブルな記録媒体に記録して、あるいは通信ネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００７５】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１…店舗、２…床面、３…天井面、４，５，６…客席テーブル、７…レジカウンタ、８，９，１０…照明器具、１１，１２，１３…空気調和機、１１ａ，１２ａ，１３ａ…室内ユニット、２０…タブレット端末（情報端末）、２１…タッチパネル式表示部、２２…室内温度センサ、２３…照度センサ、３０…ドッキングステーション、６０…ＣＰＵ
【図１】
0005857009.tif 000002
【図２】
0005857009.tif 000003
【図３】
0005857009.tif 000004
【図４】
0005857009.tif 000005
【図５】
0005857009.tif 000006
【図６】
0005857009.tif 000007
【図７】
0005857009.tif 000008
【図８】
0005857009.tif 000009
【図９】
0005857009.tif 000010
【図１０】
0005857009.tif 000011